(57)【要約】【課題】簡単かつ確実に本体ハウジングの開口穴を開閉できる構造のデータ処理装置を提供する。【解決手段】カバー部材１３０が第一状態で本体ハウジング１２０に装着されると、その本体ハウジング１２０の開口穴１２１がカバー部材１３０で閉止されるので、内部機構や接続コネクタ１１０などが露出することを防止できる。カバー部材１３０が第二状態で本体ハウジング１２０に装着されると、その本体ハウジング１２０の開口穴１２１とカバー部材１３０の貫通孔１３１とが連通する。このため、連通した開口穴１２１と貫通孔１３１とに挿通させることで、通信ケーブル２１０に接続コネクタ１１０を接続することができる。【選択図】図１
2008290293.tif 000002
【特許請求の範囲】
【請求項１】
通信ケーブルが着脱自在に接続される接続コネクタを有するデータ処理装置であって、
開口穴の内部に前記接続コネクタが収容されている本体ハウジングと、
前記通信ケーブルが挿通される貫通孔が形成されているカバー部材と、
前記カバー部材を前記貫通孔が前記開口穴に連通しない第一状態と連通する第二状態とに切換自在に前記本体ハウジングに装着するカバー装着機構と、
を有するデータ処理装置。
【請求項２】
前記カバー部材は、一端近傍に前記貫通孔が形成されている細長形状に形成されており、
前記カバー装着機構は、前記第一状態と前記第二状態とで前記カバー部材の一端と他端との位置を逆転させて前記本体ハウジングに装着する請求項１に記載のデータ処理装置。
【請求項３】
前記通信ケーブルを有するオプションユニットが着脱自在に装着されるオプション装着部と、
前記接続コネクタが結線されていて前記オプションユニットと有線通信するデータ処理部とを、
さらに有する請求項１または２に記載のデータ処理装置。
【請求項４】
請求項３に記載のデータ処理装置と、
前記通信ケーブルを有するオプションユニットと、
を有するデータ処理システム。
【発明の詳細な説明】
【技術分野】
【０００１】
本発明は、通信ケーブルが着脱自在に接続される接続コネクタを有するデータ処理装置に関し、特に、オプションユニットが着脱自在に装着されるデータ処理装置に関する。
【背景技術】
【０００２】
現在、データ処理装置であるプリンタ装置などには、オプションユニットとしてスキャナユニットなどを装着できる製品がある。このようなデータ処理装置では、例えば、本体ハウジングに開口穴が形成されており、その内部に接続コネクタが収容されている。そこで、オプションユニットを装着するときには、オプションユニットの通信ケーブルが接続コネクタに接続される。
【０００３】
現在、上述のようなデータ処理装置として各種の提案がある(例えば、特許文献１参照)。
【特許文献１】特開２００３−２０７９６２号公報
【発明の開示】
【発明が解決しようとする課題】
【０００４】
しかし、上述のようなデータ処理装置では、例えば、オプションユニットが装着されない状態では、本体ハウジングの開口穴を閉止しておく必要がある。このようなデータ処理装置では、例えば、本体ハウジングにカバー部材が装着されることで開口穴が閉止されている。
【０００５】
そこで、オプションユニットを装着するときには、カバー部材を取り外して開口穴を開口させる。しかし、これでは取り外したカバー部材を紛失しやすい。カバー部材を紛失すると、オプションユニットが無用となったときに開口穴を閉止することができない。
【０００６】
また、貫通孔が形成されているカバー部材と、形成されていないカバー部材とを用意しておき、選択的に本体ハウジングに装着するデータ処理装置もある。しかし、この場合は、さらに使用していない一方のカバー部材を紛失しやすい。しかも、二種類のカバー部材が必要となるので、全体的な生産性や取扱性も低下する。
【０００７】
本発明は上述のような課題に鑑みてなされたものであり、簡単かつ確実に本体ハウジングの開口穴を開閉できる構造のデータ処理装置を提供するものである。
【課題を解決するための手段】
【０００８】
本発明のデータ処理装置は、通信ケーブルが着脱自在に接続される接続コネクタを有するデータ処理装置であって、開口穴の内部に接続コネクタが収容されている本体ハウジングと、通信ケーブルが挿通される貫通孔が形成されているカバー部材と、カバー部材を貫通孔が開口穴に連通しない第一状態と連通する第二状態とに切換自在に本体ハウジングに装着するカバー装着機構と、を有する。
【０００９】
従って、本発明のデータ処理装置では、カバー装着機構によりカバー部材が第一状態で本体ハウジングに装着されると、その本体ハウジングの開口穴がカバー部材で閉止されるので、内部機構や接続コネクタなどが露出しない。カバー装着機構によりカバー部材が第二状態で本体ハウジングに装着されると、その本体ハウジングの開口穴とカバー部材の貫通孔とが連通する。このため、連通した開口穴と貫通孔とに挿通させることで、通信ケーブルに接続コネクタが接続される。
【００１０】
本発明のデータ処理システムは、本発明のデータ処理装置と、通信ケーブルを有するオプションユニットと、を有する。
【００１１】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１２】
本発明のデータ処理装置では、カバー装着機構によりカバー部材が第一状態で本体ハウジングに装着されると、その本体ハウジングの開口穴がカバー部材で閉止されるので、内部機構や接続コネクタなどが露出することを防止できる。カバー装着機構によりカバー部材が第二状態で本体ハウジングに装着されると、その本体ハウジングの開口穴とカバー部材の貫通孔とが連通する。このため、連通した開口穴と貫通孔とに挿通させることで、通信ケーブルに接続コネクタを接続することができる。カバー装着機構によるカバー部材の装着状態を切り換えるだけで、簡単かつ確実に本体ハウジングの開口穴を開閉することができる。
【発明を実施するための最良の形態】
【００１３】
本発明の実施の一形態を図面を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００１４】
本実施の形態のデータ処理システムであるＭＦＰ(Multi Function Peripherals)システムは、図２に示すように、データ処理装置であるプリンタ装置１００と、通信ケーブル２１０を有するオプションユニットであるスキャナユニット２００と、を有する。
【００１５】
プリンタ装置１００は、通信ケーブル２１０が着脱自在に接続される接続コネクタ１１０と、開口穴１２１の内部に接続コネクタ１１０が収容されている本体ハウジング１２０と、通信ケーブル２１０が挿通される貫通孔１３１が形成されているカバー部材１３０と、カバー部材１３０を貫通孔１３１が開口穴１２１に連通しない第一状態と連通する第二状態とに切換自在に本体ハウジング１２０に装着するカバー装着機構と、を有する。
【００１６】
より詳細には、カバー部材１３０は、例えば、細長形状の矩形の平板状に形成されており、その一端近傍に円形の貫通孔１３１が形成されている。さらに、カバー部材１３０の一端近傍には、ボルト１４０が挿通される小孔１３２も形成されており、他端には一対の係合爪１３３が形成されている。
【００１７】
プリンタ装置１００の本体ハウジング１２０は、後面に矩形の開口穴１２１が形成されている。さらに、本体ハウジング１２０の後面には、一端が左方に位置する第一状態のカバー部材１３０の係合爪１３３が係合する一対のスリット状の係合孔１２２と、一端が右方に位置する第二状態のカバー部材１３０の係合爪１３３が係合する一対のスリット状の係合孔１２３も、個々に形成されている。
【００１８】
同様に、本体ハウジング１２０の後面には、第一状態のカバー部材１３０の小孔１３２に挿通されたボルト１４０が締結されるネジ穴１２４と、第二状態のカバー部材１３０の小孔１３２に挿通されたボルト１４０が締結されるネジ穴１２５も、個々に形成されている。
【００１９】
本実施の形態のプリンタ装置１００では、上述のような係合孔１２２，１２３およびネジ穴１２４，１２５の左右対称な配置の中心に対し、開口穴１２１が左方に変位した位置に形成されている。
【００２０】
本実施の形態のプリンタ装置１００では、係合爪１３３が係合孔１２２，１２３に係合した状態でボルト１４０が小孔１３２に挿通されてネジ穴１２４，１２５に締結されることで、カバー部材１３０が本体ハウジング１２０に第一状態と第二状態とで装着される。
【００２１】
このため、カバー部材１３０の小孔１３２および係合爪１３３、本体ハウジング１２０のネジ穴１２４，１２５および係合孔１２２，１２３、ボルト１４０、により、カバー装着機構が実現されている。また、プリンタ装置１００の上面は、スキャナユニット２００が着脱自在に装着されるオプション装着部とされている。
【００２２】
上述のような構成において、本実施の形態のＭＦＰシステムでは、プリンタ装置１００を単体で使用することもでき、このプリンタ装置１００にスキャナユニット２００を増設して使用することもできる。
【００２３】
プリンタ装置１００が単体で使用される場合には、図１(ａ)に示すように、カバー部材１３０が第一状態で本体ハウジング１２０に装着される。その場合、カバー部材１３０の係合爪１３３は本体ハウジング１２０の左方の係合孔１２２に係合され、小孔１３２に挿通されたボルト１４０が右方のネジ穴１２４に締結される。
【００２４】
このような第一状態では、本体ハウジング１２０の開口穴１２１がカバー部材１３０で閉止される。従って、内部機構(図示せず)や接続コネクタ１１０などが露出することを防止した状態で、プリンタ装置１００を単体で使用することができる。
【００２５】
一方、プリンタ装置１００にスキャナユニット２００を増設する場合には、図１(ｂ)に示すように、ボルト１４０とともにカバー部材１３０が本体ハウジング１２０から取り外される。
【００２６】
つぎに、カバー部材１３０の貫通孔１３１にスキャナユニット２００の通信ケーブル２１０が挿通され、この通信ケーブル２１０が本体ハウジング１２０の開口穴１２１から引き出された接続コネクタ１１０に接続される。
【００２７】
このような状態で、図１(ｃ)に示すように、カバー部材１３０が左右逆転されて第二状態で本体ハウジング１２０に装着される。その場合、カバー部材１３０の係合爪１３３は本体ハウジング１２０の右方の係合孔１２３に係合され、小孔１３２に挿通されたボルト１４０は左方のネジ穴１２５に締結される。
【００２８】
このような第二状態では、本体ハウジング１２０の開口穴１２１とカバー部材１３０の貫通孔１３１とが連通する。そして、この連通した開口穴１２１と貫通孔１３１とを経由して通信ケーブル２１０と接続コネクタ１１０とが接続されている。
【００２９】
このため、スキャナユニット２００とプリンタ装置１００とが通信することができるので、例えば、スキャナユニット２００で原稿(図示せず)から光学読取された画像データをプリンタ装置１００で印刷出力するようなことができる。
【００３０】
本実施の形態のＭＦＰシステムでは、上述のようにプリンタ装置１００が単体で使用される場合には、本体ハウジング１２０の開口穴１２１をカバー部材１３０で閉止することができ、プリンタ装置１００にスキャナユニット２００が増設される場合には、本体ハウジング１２０の開口穴１２１とカバー部材１３０の貫通孔１３１とを連通させて通信ケーブル２１０と接続コネクタ１１０とを接続することができる。
【００３１】
そして、カバー部材１３０の装着状態を切り換えるだけで、簡単かつ確実に本体ハウジング１２０の開口穴１２１を開閉することができる。このため、開口穴１２１を閉止するときにはカバー部材１３０を装着し、開口させるときには取り外すような必要がない。
【００３２】
また、開口穴１２１に連通する貫通孔が形成されているカバー部材と形成されていないカバー部材とを個々に用意しておき(図示せず)、選択的に本体ハウジング１２０に装着するような必要もない。
【００３３】
本実施の形態のＭＦＰシステムでは、プリンタ装置１００が単体で使用される場合でもスキャナユニット２００が増設される場合でも、本体ハウジング１２０にカバー部材１３０を装着して使用するので、このカバー部材１３０を紛失することがない。
【００３４】
しかも、カバー部材１３０は、一端近傍に貫通孔１３１が形成されている細長形状に形成されており、第一状態と第二状態とでカバー部材１３０の一端と他端との位置を逆転させることで本体ハウジング１２０の開口穴１２１が開閉される。
【００３５】
特に、本体ハウジング１２０に対してカバー部材１３０の方向のみ変更して位置は変更しない。このため、直感的に把握が容易で簡単な構造で、本体ハウジング１２０の開口穴１２１を開閉することができる。
【００３６】
さらに、本体ハウジング１２０にカバー部材１３０が第一状態で装着されても第二状態で装着されても、二つのネジ穴１２４，１２５と二対の係合孔１２２，１２３とが閉止されて露出しないので、その外観が美麗で塵芥の侵入なども最小限とすることができる。
【００３７】
さらに、カバー部材１３０は、一端にボルト１４０が挿通される小孔１３２が形成されていて他端に係合爪１３３が形成されており、本体ハウジング１２０には二つのネジ穴１２４，１２５と二対の係合孔１２２，１２３が形成されている。このため、一個のボルト１４０を操作するだけで、カバー部材１３０を第一状態と第二状態とで本体ハウジング１２０に装着することができる。
【００３８】
しかも、本実施の形態のプリンタ装置１００では、本体ハウジング１２０に大型の矩形に開口穴１２１が形成されている。このため、内部から接続コネクタ１１０を引き出して通信ケーブル２１０と接続する作業などを容易に実行することができる。
【００３９】
それでいて、カバー部材１３０の貫通孔１３１が、通信ケーブル２１０を挿通する必要最小限のサイズに形成されている。このため、貫通孔１３１と開口穴１２１とを連通させて通信ケーブル２１０と接続コネクタ１１０とが接続された状態でも、内部機構などが無用に露出することがない。
【００４０】
なお、本発明は本実施の形態に限定されるものではなく、その要旨を逸脱しない範囲で各種の変形を許容する。例えば、上記形態ではデータ処理装置がプリンタ装置１００でオプションユニットがスキャナユニット２００であることを例示した。
【００４１】
しかし、オプションユニットがプリンタ装置１００の原稿搬送機構や給紙カセットなどでもよい。また、データ処理装置がスキャナ装置でオプションユニットが原稿搬送機構などでもよい(ともに図示せず)。
【００４２】
また、上記形態ではカバー部材１３０の一端にボルト１４０が挿通される小孔１３２が形成されていて他端に係合爪１３３が形成されており、本体ハウジング１２０には二つのネジ穴１２４，１２５と二対の係合孔１２２，１２３が形成されていることを例示した。
【００４３】
しかし、ボルトが挿通される小孔がカバー部材の両端に形成されており、第一状態と第二状態とにカバー部材を保持するネジ穴が本体ハウジングに形成されていてもよい(図示せず)。
【００４４】
さらに、上記形態ではカバー部材１３０の貫通孔１３１が小型の円形に形成されており、本体ハウジング１２０の開口穴１２１が大型の矩形に形成されていることを例示した。しかし、これらの形状やサイズも各種に設定することができ、例えば、カバー部材の貫通孔が端部に開口している凹部で形成されていてもよい(図示せず)。
【００４５】
また、上記形態ではカバー部材１３０を左右逆転させて第一状態と第二状態とすることで、本体ハウジング１２０の開口穴１２１が開閉されることを例示した。しかし、図３に例示するデータ処理装置３００のように、本体ハウジング３１０の係合孔３１１，３１２およびネジ穴３１３，３１４が左右方向に並列に形成されており、カバー部材１３０がスライド移動されることで開口穴１２１が開閉されてもよい。
【００４６】
さらに、上記形態ではカバー部材１３０が本体ハウジング１２０に着脱されることを例示した。しかし、図４に例示するデータ処理装置４００のように、本体ハウジング４１０にカバー部材４２０が支持軸４１１で回転自在に軸支されており、この回転により開口穴１２１が開閉されてもよい。
【００４７】
また、上記形態のプリンタ装置１００では、カバー部材１３０が第一状態で本体ハウジング１２０に装着されると、カバー部材１３０の貫通孔１３１から本体ハウジング１２０の外面が視認される。
【００４８】
そこで、この本体ハウジング１２０の貫通孔１３１から視認される位置に、カバー部材１３０の取扱方法などのガイダンスメッセージを粘着シールなどで表記しておいてもよい(図示せず)。
【００４９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明の機能を満足する範囲で各種に変更することができる。
【図面の簡単な説明】
【００５０】
【図１】本発明の実施の形態のデータ処理装置であるプリンタ装置の要部の構造を示す横断平面図である。
【図２】データ処理システムであるＭＦＰシステムの要部の組立構造を示す分解斜視図である。
【図３】一の変形例のデータ処理装置の要部の構造を示す横断平面図である。
【図４】他の変形例のデータ処理装置の要部の構造を示す横断平面図である。
【符号の説明】
【００５１】
１００    プリンタ装置
１１０    接続コネクタ
１２０    本体ハウジング
１２１    開口穴
１２２    係合孔
１２３    係合孔
１２４    ネジ穴
１２５    ネジ穴
１３０    カバー部材
１３１    貫通孔
１３２    小孔
１３３    係合爪
１４０    ボルト
２００    スキャナユニット
２１０    通信ケーブル
３００    データ処理装置
３１０    本体ハウジング
３１１，３１２    係合孔
３１３，３１４    ネジ穴
４００    データ処理装置
４１０    本体ハウジング
４１１    支持軸
４２０    カバー部材
【図１】
2008290293.tif 000003
【図２】
2008290293.tif 000004
【図３】
2008290293.tif 000005
【図４】
2008290293.tif 000006